(57)【特許請求の範囲】
【請求項１】
焼却灰を溶融し、上部に排ガスを燃焼させる二次燃焼室を設けた灰溶融炉において、前記二次燃焼室内の側壁上部には、排ガスダクトの一端部が接続され、該排ガスダクトの他端部は熱交換器に接続されており、前記二次燃焼室内の出口部付近の頂部には、空気にて霧状の水を噴霧する水噴霧ノズルが下方へ向けて設けられ、かつ前記二次燃焼室の頂部であって、前記水噴霧ノズルの周囲には、空気の通過が可能なセラミックフォームが設けられ、該セラミックフォームから空気が前記二次燃焼室内に吹き込まれるようにしたことを特徴とする灰溶融炉。
【発明の詳細な説明】
【０００１】
【発明の属する技術分野】
本発明は、下水汚泥、都市ごみ及び産業廃棄物などの焼却灰及び事業用火力発電プラント等の燃焼炉から排出される焼却灰を溶融する灰溶融炉の排ガス処理方法及び灰溶融炉に関するものである。
【０００２】
【従来の技術】
従来より、下水汚泥、都市ごみ及び産業廃棄物などの焼却灰（粉体無機物）は、その資源化、減容化及び無害化を図るために、例えば、図４に示すような竪型旋回灰溶融炉５１によって溶融され、スラグとして取り出されている。
このような灰溶融炉５１では、その炉内に燃料（重油等）５２、焼却灰５３及び空気５４を接線方向へ向けて吹き込み、バーナなどを用いて燃焼させており、燃焼された焼却灰は溶融されてスラグ５５となる。そして、この溶融スラグ５５は、灰溶融炉５１の下部のスラグタップ（図示せず）から重力によって落下され、図示しない下方の水冷槽（水砕スラグ）やコンベア（空冷スラグ）へ投入されて取り出される。
また、灰溶融炉５１の炉内で発生した排ガス５６は、ガス出口から上部の二次燃焼室５７へ導かれ、この二次燃焼室５７内で燃焼された後、二次燃焼室出口より排ガスダクト５８に排出され、該排ガスダクト５８を介して熱交換器５９及び排ガス処理設備に導かれる。
【０００３】
【発明が解決しようとする課題】
しかしながら、上述した従来の竪型旋回灰溶融炉５１の排ガス処理方法では、炉内から熱交換器５９に導かれる排ガス５６の温度が１３００〜１５００゜Ｃであり、排ガス５６中の溶融飛灰が液状となっているので、排ガス５６中の溶融飛灰６０が排出の途中で二次燃焼室５７の出口部、排ガスダクト５８の内部及び熱交換器５９のフィン部に付着して成長することが起こり、これによって排ガスダクト５８等の閉塞や熱交換器５９の性能ダウンを招くという問題があった。したがって、溶融飛灰６０が排ガスダクト５８等に付着成長した場合には、その度に設備を停止して清掃を行う必要があるので、生産性の向上を図ることが困難であった。
【０００４】
本発明はこのような実状に鑑みてなされたものであって、その目的は、排ガス中にキャリオーバされた溶融飛灰の排ガスダクト等への付着を防止し、長期安定運転を行うことが可能な灰溶融炉を提供することにある。
【０００５】
【課題を解決するための手段】
上記従来技術の有する課題を解決するため、本発明においては、焼却灰を溶融し、上部に排ガスを燃焼させる二次燃焼室を設けた灰溶融炉において、前記二次燃焼室内の側壁上部には、排ガスダクトの一端部が接続され、該排ガスダクトの他端部は熱交換器に接続されており、前記二次燃焼室内の出口部付近の頂部には、空気にて霧状の水を噴霧する水噴霧ノズルが下方へ向けて設けられ、かつ前記二次燃焼室の頂部であって、前記水噴霧ノズルの周囲には、空気の通過が可能なセラミックフォームが設けられ、該セラミックフォームから空気が前記二次燃焼室内に吹き込まれるようにしている。
【０００６】
【発明の実施の形態】
以下、本発明を図示の実施の形態に基づいて詳細に説明する。
【０００７】
図１は本発明の実施の形態に係る竪型旋回灰溶融炉を示す概念図、図２は図１のＡ部を拡大して示す断面図、図３はその旋回灰溶融炉が適用される設備の一部概要を示す説明図である。
本実施の形態の灰溶融炉１は、図１〜図３に示す如く、耐火材（レンガ、キャスタ）によって有底円筒状に形成された炉本体２を有しており、同炉本体２の底部には、大径の炉内３で溶融されたスラグ４を重力により落下させて排出するスラグタップ（図示せず）が設けられている。
【０００８】
また、上記炉本体２の炉内３には、図示しない燃料タンクから燃料（重油等）５が供給され、図示しない焼却灰ホッパから焼却灰６が供給されると共に、後述の熱交換器等から燃焼空気７が供給されるようになっており、これら燃料５、焼却灰６及び燃焼空気７は、図示しないバーナによって炉内３で旋回しながら燃焼されてスラグ４を溶融するように構成されている。そして、灰溶融炉１の下方には、矢印で示すように、重力により落下させたスラグ４を回収する図外のコンベアなどが設置されている。
一方、炉本体２の頂部には、炉内３で発生した排ガス８を上方から排出するため、小径のガス出口９が設けられている。灰溶融炉１の上部には、ガス出口９と連通して、排ガス８を燃焼させる二次燃焼室１０が設けられている。
【０００９】
上記二次燃焼室１０の側壁上部には、排ガスダクト１１の一端部が接続され、該排ガスダクト１１の他端部は熱交換器１２に接続されており、炉内３で発生した排ガス８は、二次燃焼室１０及び排ガスダクト１１を介して熱交換器１２に導かれるようになっている。
また、二次燃焼室１０内の出口部付近の頂部１０ａには、空気１３にて霧状の水（粒径が１００μｍ以下）１４を噴射する急冷手段の水噴霧ノズル１５が下方へ向けて設けられ、該水噴霧ノズル１５から水１４を噴霧することにより二次燃焼室１０内の排ガス８を急冷するように構成されている。この水噴霧ノズル１５は、図２に示す如く、空気１３及び水１４の二流体方式であり、先細りの空気供給パイプ１６と該空気供給パイプ１６の内部に配設される先細りの水供給パイプ１７とによって形成された二重構造になっている。
【００１０】
しかも、上記二次燃焼室１０の頂部１０ａであって、水噴霧ノズル１５の周囲には、空気１３の通過が可能なセラミックフォーム１８が設けられており、該セラミックフォーム１８から空気１３を二次燃焼室１０内に吹き込むことにより、排ガス８中の溶融飛灰が同二次燃焼室１０の内壁面に付着しないようになっている。また、空気供給パイプ１６及び水供給パイプ１７は、それぞれ図示しない圧縮ポンプや水供給タンクなどに接続されている。
【００１１】
なお、上記熱交換器１２の下流側には、排ガス処理設備が設けられている。すなわち、熱交換器１２を経た排ガス８は、図３に示す如く、遠心力により灰１９を分離捕集するサイクロン（集じん装置）２０に送られる共に、苛性ソーダ及び水による処理を行って排水する排煙処理塔２１に送られ、ファン２２を介して煙突２３から大気に排出されるようになっている。
【００１２】
このような旋回灰溶融炉１を使用して排ガス８を処理するには、炉内３に供給された焼却灰６をバーナ（図示せず）の火炎により旋回させながら燃焼して溶融する。溶融されたスラグ４は、図示しないスラグタップから重力により落下して図外のコンベヤなどに排出されて回収される。
一方、炉内３で発生した排ガス８は、炉本体２のガス出口９より二次燃焼室１０に導かれ、この二次燃焼室１０内で燃焼される。そして、二次燃焼室１０の上部に導かれた排ガス８は、図１及び図２に示す如く、水噴霧ノズル１５から噴霧された水１４によって急冷され、当該排ガス８中にキャリオーバされた液状溶融飛灰は瞬時に固体化される。すなわち、ガス出口９の温度が１５００゜Ｃの排ガス８中では、溶融飛灰が液状となっているが、排ガス８を急冷してその温度を８５０゜Ｃにすると、灰融点の温度１３５０゜よりも５００゜Ｃ低くなるため、液状溶融飛灰は瞬時に固体化されることになる。
【００１３】
次いで、固体化された溶融飛灰を含む排ガス８は、二次燃焼室１０のガス出口（図示せず）から排ガスダクト１１を経て熱交換器１２に導かれ、該熱交換器１２内を通過しながら、ファン２２にて送給された空気１３と熱交換する。温められた空気１３は、炉内３及び二次燃焼室１０に供給される。
そして、熱交換器１２を通過した排ガス８は、図３に示す如く、サイクロン２０に送られて灰１９を分離し、また、排煙処理塔２１に送られて苛性ソーダ及び水による洗浄処理が行われ、洗浄水を排出した後、ファン２２を介して煙突２３から大気に排出される。
【００１４】
本実施の形態に係る二次燃焼室１０内のガス出口部には、排ガス８を急冷する水噴霧ノズル１５が設けられているため、排ガス８中の液状溶融飛灰を瞬時に固体化させることができ、これによって溶融飛灰が二次燃焼室１０の出口部や排ガスダクト１１及び熱交換器１２の内部に付着するのを防止できる。
【００１５】
以上、本発明の実施の形態につき述べたが、本発明は既述の実施の形態に限定されるものではなく、本発明の要旨を逸脱しない範囲内において種々の変形及び変更を加え得るものである。
例えば、本発明の実施の形態では、急冷手段として水噴霧ノズル１５を設けたが、排ガス８中の液状溶融飛灰を急冷して確実に固体化できれば、スプレー方式など他の構造の急冷手段を使用してもよい。
【００１６】
【発明の効果】
上述の如く、本発明に係る灰溶融炉は、焼却灰を溶融し、上部に排ガスを燃焼させる二次燃焼室を設けたものにおいて、前記二次燃焼室内の側壁上部には、排ガスダクトの一端部が接続され、該排ガスダクトの他端部は熱交換器に接続されており、前記二次燃焼室内の出口部付近の頂部には、空気にて霧状の水を噴霧する水噴霧ノズルが下方へ向けて設けられ、かつ前記二次燃焼室の頂部であって、前記水噴霧ノズルの周囲には、空気の通過が可能なセラミックフォームが設けられ、該セラミックフォームから空気が前記二次燃焼室内に吹き込まれるようにしているので、効率的にかつ確実に排ガス中の液状溶融飛灰を急冷でき、排ガス中にキャリオーバされた溶融飛灰が二次燃焼室、排ガスダクト、熱交換器等の内壁面に付着するのを確実に防止し、長期安定運転を行うことができ、生産性の向上とコストダウンを図ることができる。
【図面の簡単な説明】
【図１】本発明の実施の形態に係る竪型旋回灰溶融炉を示す概念図である。
【図２】図１のＡ部を拡大して示す断面図である。
【図３】本発明の実施の形態に係る旋回灰溶融炉が適用される設備の一部を示す概念図である。
【図４】従来の竪型旋回灰溶融炉を示す概念図である。
【符号の説明】
１  旋回灰溶融炉
２  炉本体
３  炉内
４  スラグ
５  燃料
６  焼却灰
７  燃焼空気
８  排ガス
１０  二次燃焼室
１１  排ガスダクト
１２  熱交換器
１３  空気
１４  水
１５  水噴霧ノズル
１６  空気供給パイプ
１７  水供給パイプ
１８  セラミックフォーム
【図１】
0003905635.tif 000002
【図２】
0003905635.tif 000003
【図３】
0003905635.tif 000004
【図４】
0003905635.tif 000005